(57)【要約】【課題】本発明はマウスパッドを開示した。【解決手段】ベースを含み、パソコンを使う時、パソコンをベースに置き、クランプ部品によりパソコンがきつく挟まれ、引き動かしヘッドを引いて動かさせ、引き動かしヘッドがスライドブロックを連動させて右へスライドさせ、固定口と引っ掛かりブロックとは互いに引っかかった後、マウスを第二ヒンジ連結板に置いて使用する。敷板はより小さい敷板ユニットをヒンジにより連結したものであり、取る空間を減少でき、空間が狭いところにパソコンを使うのに便利を与え、長い時間でパソコンを使用する人にとって、敷板にある調節部品を調節することにより腕の痛みを軽減できる。【選択図】図１
2020177610.tif 000002
【特許請求の範囲】
【請求項１】
ベースを含み、前記ベースの左右端面にはノートパソコンをきつく挟めるクランプ部品が左右対称的に設置され、前記ベースの中にはマウスを置くことができる敷板部品が設置され、前記敷板部品は前記ベースの内部に設置されている回収溝を含み、前記回収溝の中にはスライドブロックがスライドできるように装着され、前記スライドブロックには第一ヒンジ連結板が固定的に装着され、前記第一ヒンジ連結板の右端には順に六つの第二ヒンジ連結板がヒンジにより連結され、前記第二ヒンジ連結板の左側末端には前記第二ヒンジ連結板を時計回りに回転させないリミット板が固定的に設置され、左から右への順に数えって六番目の前記第二ヒンジ連結板の右側端面には引き動かしヘッドが固定的に装着され、前記引き動かしヘッドの頂部端面にはペンを置くことができるペン溝が設置され、前記敷板部品の上側には腕の快適度を調節できる調節部品が設置され、前記調節部品は前記第二ヒンジ連結板に固定的に取り付けて挟まれている調節筐体と挟み板とを含み、前記調節筐体と前記挟み板との間には捻りばねが固定的に装着され、前記調節筐体の中には歯車チャンバが設置され、前記調節筐体の上側には上方に開口したネジスリーブスライド溝が設置され、前記ねじスリーブスライド溝と前記歯車チャンバとの間にはねじロッドが回転できるように装着され、前記ねじスリーブスライド溝の中にはねじスリーブがスライドできるように装着され、前記ねじスリーブと前記ねじロッドとがねじ山により装着され、前記ねじスリーブの頂部端面には支持台が固定的に装着され、前記ねじロッドが回転して前記ねじスリーブスライド溝と前記支持台とを推し動かして上下にスライドさせることができ、それにより高度を調節し、前記支持台の中には上方に開口したばね溝が設置され、前記支持台の底壁には連結台が固定的に装着され、前記調節部品はまた腕を直接に支えることができる置き台を含み、前記置き台の底部端面には球形連結ブロックが固定的に装着され、前記球形連結ブロックと前記連結台とが回転できるように連結され、前記置き台の底部端面と前記支持台の底壁との間には前記置き台を自動的に復帰させることができる復帰ばねが固定的に装着されていることを特徴とするマウスパッド。
【請求項２】
前記敷板部品はまた前記スライドブロックの底部端面に設置されている固定口を含み、前記回収溝の底壁には前記回収溝と連通している引っ掛かりブロック溝が設置され、前記引っ掛かりブロック溝の中に引っ掛かりブロックがスライドできるように装着され、前記引っ掛かりブロックと前記固定口とは互いに引っ掛かることができ、前記引っ掛かりブロックには固定ピンが固定的に装着され、前記引っ掛かりブロックの底部端面と前記引っ掛かりブロック溝の底壁との間には推し動かしばねが固定的に装着され、前記引っ掛かりブロック溝と前記ベースの右側端面との間には押しボタンがスライドできるように装着され、前記押しボタンの左側端面にはプッシュブロックが固定的に装着され、前記プッシュブロックと前記固定ピンとがスライドできるように装着されており、
パソコンを使う時、パソコンを前記ベースに置き、前記クランプ部品により前記パソコンがきつく挟まれ、前記引き動かしヘッドを引いて動かし、前記引き動かしヘッドが前記スライドブロックを連動させて右へスライドさせ、前記固定口と前記引っ掛かりブロックとは互いに引っかかった後、マウスを前記第二ヒンジ連結板に置いて使用することを特徴とする請求項１に記載のマウスパッド。
【請求項３】
前記調節部品はまた前記ねじロッドに固定的に装着されている第一歯車を含み、前記歯車チャンバと前記調節筐体の左側端面との間には歯車軸が回転できるように装着され、前記歯車軸の右側端面には第ニ歯車が固定的に装着され、前記第一歯車と前記第二歯車とが噛み合っており、前記歯車軸の左側端面にはつまみが固定的に装着され、前記調節筐体の頂部端面には上方に開口した補助溝が左右対称的に設置され、前記補助溝の前後内壁にはスライド溝が設置され、前記スライド溝の中にはスライド台がスライドできるように装着され、前記スライド台と前記補助溝の底壁との間がスライドできるように装着され、且つ前記スライド台と前記補助溝の底壁との間には大きな摩擦があり、前記支持台の底部端面には補助ロッドが左右対称的にヒンジにより連結され、前記補助ロッドと前記スライド台とがヒンジにより連結されており、
調節する時、前記つまみを回し、前記つまみが回転して前記ねじロッドを回転連動させ、前記ねじロッドが回転して前記ねじスリーブと前記支持台を押し動かして上下にスライドさせて高度の調節を行い、前記補助ロッドは支持を補助でき、腕を前記置き台に置くことができ、前記復帰ばねが傾いた前記置き台を復帰させることを特徴とする請求項１に記載のマウスパッド。
【発明の詳細な説明】
【技術分野】
【０００１】
本発明はパソコン用品分野に関わり、具体的にはマウスパッドである。
【背景技術】
【０００２】
狭いところでノートパソコンを使う時、マウスを置けるスペースがなく、使用が非常に不便であり、普通のマウスパッドは完全の一枚であり、スペースをかなり取り、携帯にも非常に不便であり、長い時間でパソコンを使用すると、腕が凝り、今まで使用されているマウスパッドは腕を楽にさせることができなく、あるマウスパッドはマウスを使用する時の痛さを和らげることができるが、任意に調節できなく、異なる人のニーズを満たすことができない。
【先行技術文献】
【特許文献】
【０００３】
【特許文献１】中国特許出願公開第106648178号明細書
【発明の概要】
【発明が解決しようとする課題】
【０００４】
本発明はマウスパッドを提供し、既存技術にある上記問題を解決することを目的とする。
【課題を解決するための手段】
【０００５】
本発明の実施例のマウスパッドは、ベースを含み、前記ベースの左右端面にはノートパソコンをきつく挟めるクランプ部品が左右対称的に設置され、前記ベースの中にはマウスを置くことができる敷板部品が設置され、前記敷板部品は前記ベースの内部に設置されている回収溝を含み、前記回収溝の中にはスライドブロックがスライドできるように装着され、前記スライドブロックには第一ヒンジ連結板が固定的に装着され、前記第一ヒンジ連結板の右端には順に六つの第二ヒンジ連結板がヒンジにより連結され、前記第二ヒンジ連結板の左側末端には前記第二ヒンジ連結板を時計回りに回転させないリミット板が固定的に設置され、左から右への順に数えって六番目の前記第二ヒンジ連結板の右側端面には引き動かしヘッドが固定的に装着され、前記引き動かしヘッドの頂部端面にはペンを置くことができるペン溝が設置され、前記敷板部品の上側には腕の快適度を調節できる調節部品が設置され、前記調節部品は前記第二ヒンジ連結板に固定的に取り付けて挟まれている調節筐体と挟み板とを含み、前記調節筐体と前記挟み板との間には捻りばねが固定的に装着され、前記調節筐体の中には歯車チャンバが設置され、前記調節筐体の上側には上方に開口したネジスリーブスライド溝が設置され、前記ねじスリーブスライド溝と前記歯車チャンバとの間にはねじロッドが回転できるように装着され、前記ねじスリーブスライド溝の中にはねじスリーブがスライドできるように装着され、前記ねじスリーブと前記ねじロッドとがねじ山により装着され、前記ねじスリーブの頂部端面には支持台が固定的に装着され、前記ねじロッドが回転して前記ねじスリーブスライド溝と前記支持台とを推し動かして上下にスライドさせることができ、それにより高度を調節し、前記支持台の中には上方に開口したばね溝が設置され、前記支持台の底壁には連結台が固定的に装着され、前記調節部品はまた腕を直接に支えることができる置き台を含み、前記置き台の底部端面には球形連結ブロックが固定的に装着され、前記球形連結ブロックと前記連結台とが回転できるように連結され、前記置き台の底部端面と前記支持台の底壁との間には前記置き台を自動的に復帰させることができる復帰ばねが固定的に装着されている。
【０００６】
さらなる技術プランには、前記敷板部品はまた前記スライドブロックの底部端面に設置されている固定口を含み、前記回収溝の底壁には前記回収溝と連通している引っ掛かりブロック溝が設置され、前記引っ掛かりブロック溝の中に引っ掛かりブロックがスライドできるように装着され、前記引っ掛かりブロックと前記固定口とは互いに引っ掛かることができ、前記引っ掛かりブロックには固定ピンが固定的に装着され、前記引っ掛かりブロックの底部端面と前記引っ掛かりブロック溝の底壁との間には推し動かしばねが固定的に装着され、前記引っ掛かりブロック溝と前記ベースの右側端面との間には押しボタンがスライドできるように装着され、前記押しボタンの左側端面にはプッシュブロックが固定的に装着され、前記プッシュブロックと前記固定ピンとがスライドできるように装着されている。
【０００７】
さらなる技術プランには、前記調節部品はまた前記ねじロッドに固定的に装着されている第一歯車を含み、前記歯車チャンバと前記調節筐体の左側端面との間には歯車軸が回転できるように装着され、前記歯車軸の右側端面には第ニ歯車が固定的に装着され、前記第一歯車と前記第二歯車とが噛み合っており、前記歯車軸の左側端面にはつまみが固定的に装着され、前記調節筐体の頂部端面には上方に開口した補助溝が左右対称的に設置され、前記補助溝の前後内壁にはスライド溝が設置され、前記スライド溝の中にはスライド台がスライドできるように装着され、前記スライド台と前記補助溝の底壁との間がスライドできるように装着され、且つ前記スライド台と前記補助溝の底壁との間には大きな摩擦があり、前記支持台の底部端面には補助ロッドが左右対称的にヒンジにより連結され、前記補助ロッドと前記スライド台とがヒンジにより連結されている。
【発明の効果】
【０００８】
本発明の有益な効果は：本発明の敷板はより小さい敷板ユニットをヒンジにより連結したものであり、取る空間を減少でき、空間が狭いところにパソコンを使うのに便利を与え、長い時間でパソコンを使用する人にとって、敷板にある調節部品を調節することにより腕の痛みを軽減でき、普及する価値がある。
【図面の簡単な説明】
【０００９】
【図１】図１は本発明の全体構成概略図
【図２】図２は図１の右面構成概略図
【図３】図３は図１の中のＡの拡大構成概略図
【発明を実施するための形態】
【００１０】
次に図１〜３を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１１】
図１〜３を参照し、本発明の実施例のマウスパッドは、ベース１０を含み、前記ベース１０の左右端面にはノートパソコンをきつく挟めるクランプ部品１２が左右対称的に設置され、前記ベース１０の中にはマウスを置くことができる敷板部品８０が設置され、前記敷板部品８０は前記ベース１０の内部に設置されている回収溝１１を含み、前記回収溝１１の中にはスライドブロック１３がスライドできるように装着され、前記スライドブロック１３には第一ヒンジ連結板１４が固定的に装着され、前記第一ヒンジ連結板１４の右端には順に六つの第二ヒンジ連結板１７がヒンジにより連結され、前記第二ヒンジ連結板１７の左側末端には前記第二ヒンジ連結板１７を時計回りに回転させないリミット板５０が固定的に設置され、左から右への順に数えって六番目の前記第二ヒンジ連結板１７の右側端面には引き動かしヘッド２０が固定的に装着され、前記引き動かしヘッド２０の頂部端面にはペンを置くことができるペン溝２１が設置され、前記敷板部品８０の上側には腕の快適度を調節できる調節部品８１が設置され、前記調節部品８１は前記第二ヒンジ連結板１７に固定的に取り付けて挟まれている調節筐体２２と挟み板１９とを含み、前記調節筐体２２と前記挟み板１９との間には捻りばね４０が固定的に装着され、前記調節筐体２２の中には歯車チャンバ３５が設置され、前記調節筐体２２の上側には上方に開口したネジスリーブスライド溝３３が設置され、前記ねじスリーブスライド溝３３と前記歯車チャンバ３５との間にはねじロッド３４が回転できるように装着され、前記ねじスリーブスライド溝３３の中にはねじスリーブ３２がスライドできるように装着され、前記ねじスリーブ３２と前記ねじロッド３４とがねじ山により装着され、前記ねじスリーブ３２の頂部端面には支持台２７が固定的に装着され、前記ねじロッド３４が回転して前記ねじスリーブスライド溝３３と前記支持台２７とを推し動かして上下にスライドさせることができ、それにより高度を調節し、前記支持台２７の中には上方に開口したばね溝２８が設置され、前記支持台２７の底壁には連結台３１が固定的に装着され、前記調節部品８１はまた腕を直接に支えることができる置き台２９を含み、前記置き台２９の底部端面には球形連結ブロック３０が固定的に装着され、前記球形連結ブロック３０と前記連結台３１とが回転できるように連結され、前記置き台２９の底部端面と前記支持台２７の底壁との間には前記置き台２９を自動的に復帰させることができる復帰ばね５１が固定的に装着されている。
【００１２】
前記敷板部品８０はまた前記スライドブロック１３の底部端面に設置されている固定口４１を含み、前記回収溝１１の底壁には前記回収溝１１と連通している引っ掛かりブロック溝４４が設置され、前記引っ掛かりブロック溝４４の中に引っ掛かりブロック４２がスライドできるように装着され、前記引っ掛かりブロック４２と前記固定口４１とは互いに引っ掛かることができ、前記引っ掛かりブロック４２には固定ピン４３が固定的に装着され、前記引っ掛かりブロック４２の底部端面と前記引っ掛かりブロック溝４４の底壁との間には推し動かしばね４５が固定的に装着され、前記引っ掛かりブロック溝４４と前記ベース１０の右側端面との間には押しボタン１６がスライドできるように装着され、前記押しボタン１６の左側端面にはプッシュブロック４６が固定的に装着され、前記プッシュブロック４６と前記固定ピン４３とがスライドできるように装着されており、
それによりパソコンを使う時、パソコンをベース１０に置き、クランプ部品１２によりパソコンがきつく挟まれ、引き動かしヘッド２０を引いて動かし、引き動かしヘッド２０がスライドブロック１３を連動させて右へスライドさせ、固定口４１と引っ掛かりブロック４２とは互いに引っかかった後、マウスを第二ヒンジ連結板１７に置いて使用し、押しボタン１６を押し、押しボタン１６がプッシュブロック４６を押し動かし、それにより固定ピン４３と引っ掛かりブロック４２が下へスライドし、引っ掛かりブロック４２と固定口４１とは互いに引っ掛からなくなり、スライドブロック１３を回収溝１１の中に引き込むことができ、また外出の時にスライドブロック１３を回収溝１１の中から取り出し、第二ヒンジ連結板１７を巻いた後にマウスパッドを持ち歩け、ペン溝２１にはペンを置くことができる。
【００１３】
前記調節部品８１はまた前記ねじロッド３４に固定的に装着されている第一歯車３６を含み、前記歯車チャンバ３５と前記調節筐体２２の左側端面との間には歯車軸３８が回転できるように装着され、前記歯車軸３８の右側端面には第ニ歯車３７が固定的に装着され、前記第一歯車３６と前記第二歯車３７とが噛み合っており、前記歯車軸３８の左側端面にはつまみ３９が固定的に装着され、前記調節筐体２２の頂部端面には上方に開口した補助溝２３が左右対称的に設置され、前記補助溝２３の前後内壁にはスライド溝２４が設置され、前記スライド溝２４の中にはスライド台２５がスライドできるように装着され、前記スライド台２５と前記補助溝２３の底壁との間がスライドできるように装着され、且つ前記スライド台２５と前記補助溝２３の底壁との間には大きな摩擦があり、前記支持台２７の底部端面には補助ロッド２６が左右対称的にヒンジにより連結され、前記補助ロッド２６と前記スライド台２５とがヒンジにより連結されており、
それにより調節する時、つまみ３９を回し、つまみ３９が回転して第二歯車３７を回転連動させ、第二歯車３７が回転して第一歯車３６を回転連動させ、第一歯車３６が回転してねじロッド３４を回転連動させ、ねじロッド３４が回転してねじスリーブ３２と支持台２７を押し動かして上下にスライドさせて高度の調節を行い、補助ロッド２６は支持を補助でき、腕を置き台２９に置くことができ、復帰ばね５１が傾いた置き台２９を復帰させる。
【００１４】
使用する時：パソコンを使う時、パソコンをベース１０に置き、クランプ部品１２によりパソコンがきつく挟まれ、引き動かしヘッド２０を引いて動かさせ、引き動かしヘッド２０がスライドブロック１３を連動させて右へスライドさせ、固定口４１と引っ掛かりブロック４２とは互いに引っかかった後、マウスを第二ヒンジ連結板１７に置いて使用し、挟み板１９を押した後挟み板１９と調節筐体２２とを第二ヒンジ連結板１７に固定し、腕の快適度を調節する時、つまみ３９を回し、つまみ３９が回転して第二歯車３７を回転連動させ、第二歯車２７が回転して第一歯車３６を回転連動させ、第一歯車３６が回転してねじロッド３４を回転連動させ、ねじロッド３４が回転してねじスリーブ３２と支持台２７を押し動かして上下にスライドさせて高度の調節を行い、補助ロッド２６は支持を補助でき、腕を置き台２９に置くことができ、復帰ばね５１が傾いた置き台２９を復帰させ、押しボタン１６を押した時、押しボタン１６がプッシュブロック４６を押し動かし、それにより固定ピン４３と引っ掛かりブロック４２が下へスライドし、引っ掛かりブロック４２と固定口４１とは互いに引っ掛からなくなり、スライドブロック１３を回収溝１１の中に引き込むことができ、また外出の時にスライドブロック１３を回収溝１１の中から取り出し、第二ヒンジ連結板１７を巻いた後にマウスパッドを持ち歩け、ペン溝２１にはペンを置くことができる。
【００１５】
本発明の有益な効果は：本発明の敷板はより小さい敷板ユニットをヒンジにより連結したものであり、取る空間を減少でき、空間が狭いところにパソコンを使うのに便利を与え、長い時間でパソコンを使用する人にとって、敷板にある調節部品を調節することにより腕の痛みを軽減でき、普及する価値がある。
【００１６】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。
【図１】
2020177610.tif 000003
【図２】
2020177610.tif 000004
【図３】
2020177610.tif 000005
【手続補正書】
【提出日】令和1年8月30日(2019.8.30)
【手続補正１】
【補正対象書類名】特許請求の範囲
【補正対象項目名】請求項３
【補正方法】変更
【補正の内容】
【請求項３】
前記調節部品はまた前記ねじロッドに固定的に装着されている第一歯車を含み、前記歯車チャンバと前記調節筐体の左側端面との間には歯車軸が回転できるように装着され、前記歯車軸の右側端面には第二歯車が固定的に装着され、前記第一歯車と前記第二歯車とが噛み合っており、前記歯車軸の左側端面にはつまみが固定的に装着され、前記調節筐体の頂部端面には上方に開口した補助溝が左右対称的に設置され、前記補助溝の前後内壁にはスライド溝が設置され、前記スライド溝の中にはスライド台がスライドできるように装着され、前記スライド台と前記補助溝の底壁との間がスライドできるように装着され、且つ前記スライド台と前記補助溝の底壁との間には大きな摩擦があり、前記支持台の底部端面には補助ロッドが左右対称的にヒンジにより連結され、前記補助ロッドと前記スライド台とがヒンジにより連結されており、
調節する時、前記つまみを回し、前記つまみが回転して前記ねじロッドを回転連動させ、前記ねじロッドが回転して前記ねじスリーブと前記支持台を押し動かして上下にスライドさせて高度の調節を行い、前記補助ロッドは支持を補助でき、腕を前記置き台に置くことができ、前記復帰ばねが傾いた前記置き台を復帰させることを特徴とする請求項１に記載のマウスパッド。
【手続補正２】
【補正対象書類名】明細書
【補正対象項目名】全文
【補正方法】変更
【補正の内容】
【発明の詳細な説明】
【技術分野】
【０００１】
本発明はパソコン用品分野に関わり、具体的にはマウスパッドである。
【背景技術】
【０００２】
狭いところでノートパソコンを使う時、マウスを置けるスペースがなく、使用が非常に不便であり、普通のマウスパッドは完全の一枚であり、スペースをかなり取り、携帯にも非常に不便であり、長い時間でパソコンを使用すると、腕が凝り、今まで使用されているマウスパッドは腕を楽にさせることができなく、あるマウスパッドはマウスを使用する時の痛さを和らげることができるが、任意に調節できなく、異なる人のニーズを満たすことができない。
【先行技術文献】
【特許文献】
【０００３】
【特許文献１】中国特許出願公開第106648178号明細書
【発明の概要】
【発明が解決しようとする課題】
【０００４】
本発明はマウスパッドを提供し、既存技術にある上記問題を解決することを目的とする。
【課題を解決するための手段】
【０００５】
本発明の実施例のマウスパッドは、ベースを含み、前記ベースの左右端面にはノートパソコンをきつく挟めるクランプ部品が左右対称的に設置され、前記ベースの中にはマウスを置くことができる敷板部品が設置され、前記敷板部品は前記ベースの内部に設置されている回収溝を含み、前記回収溝の中にはスライドブロックがスライドできるように装着され、前記スライドブロックには第一ヒンジ連結板が固定的に装着され、前記第一ヒンジ連結板の右端には順に六つの第二ヒンジ連結板がヒンジにより連結され、前記第二ヒンジ連結板の左側末端には前記第二ヒンジ連結板を時計回りに回転させないリミット板が固定的に設置され、左から右への順に数えって六番目の前記第二ヒンジ連結板の右側端面には引き動かしヘッドが固定的に装着され、前記引き動かしヘッドの頂部端面にはペンを置くことができるペン溝が設置され、前記敷板部品の上側には腕の快適度を調節できる調節部品が設置され、前記調節部品は前記第二ヒンジ連結板に固定的に取り付けて挟まれている調節筐体と挟み板とを含み、前記調節筐体と前記挟み板との間には捻りばねが固定的に装着され、前記調節筐体の中には歯車チャンバが設置され、前記調節筐体の上側には上方に開口したネジスリーブスライド溝が設置され、前記ねじスリーブスライド溝と前記歯車チャンバとの間にはねじロッドが回転できるように装着され、前記ねじスリーブスライド溝の中にはねじスリーブがスライドできるように装着され、前記ねじスリーブと前記ねじロッドとがねじ山により装着され、前記ねじスリーブの頂部端面には支持台が固定的に装着され、前記ねじロッドが回転して前記ねじスリーブスライド溝と前記支持台とを推し動かして上下にスライドさせることができ、それにより高度を調節し、前記支持台の中には上方に開口したばね溝が設置され、前記支持台の底壁には連結台が固定的に装着され、前記調節部品はまた腕を直接に支えることができる置き台を含み、前記置き台の底部端面には球形連結ブロックが固定的に装着され、前記球形連結ブロックと前記連結台とが回転できるように連結され、前記置き台の底部端面と前記支持台の底壁との間には前記置き台を自動的に復帰させることができる復帰ばねが固定的に装着されている。
【０００６】
さらなる技術プランには、前記敷板部品はまた前記スライドブロックの底部端面に設置されている固定口を含み、前記回収溝の底壁には前記回収溝と連通している引っ掛かりブロック溝が設置され、前記引っ掛かりブロック溝の中に引っ掛かりブロックがスライドできるように装着され、前記引っ掛かりブロックと前記固定口とは互いに引っ掛かることができ、前記引っ掛かりブロックには固定ピンが固定的に装着され、前記引っ掛かりブロックの底部端面と前記引っ掛かりブロック溝の底壁との間には推し動かしばねが固定的に装着され、前記引っ掛かりブロック溝と前記ベースの右側端面との間には押しボタンがスライドできるように装着され、前記押しボタンの左側端面にはプッシュブロックが固定的に装着され、前記プッシュブロックと前記固定ピンとがスライドできるように装着されている。
【０００７】
さらなる技術プランには、前記調節部品はまた前記ねじロッドに固定的に装着されている第一歯車を含み、前記歯車チャンバと前記調節筐体の左側端面との間には歯車軸が回転できるように装着され、前記歯車軸の右側端面には第二歯車が固定的に装着され、前記第一歯車と前記第二歯車とが噛み合っており、前記歯車軸の左側端面にはつまみが固定的に装着され、前記調節筐体の頂部端面には上方に開口した補助溝が左右対称的に設置され、前記補助溝の前後内壁にはスライド溝が設置され、前記スライド溝の中にはスライド台がスライドできるように装着され、前記スライド台と前記補助溝の底壁との間がスライドできるように装着され、且つ前記スライド台と前記補助溝の底壁との間には大きな摩擦があり、前記支持台の底部端面には補助ロッドが左右対称的にヒンジにより連結され、前記補助ロッドと前記スライド台とがヒンジにより連結されている。
【発明の効果】
【０００８】
本発明の有益な効果は：本発明の敷板はより小さい敷板ユニットをヒンジにより連結したものであり、取る空間を減少でき、空間が狭いところにパソコンを使うのに便利を与え、長い時間でパソコンを使用する人にとって、敷板にある調節部品を調節することにより腕の痛みを軽減でき、普及する価値がある。
【図面の簡単な説明】
【０００９】
【図１】図１は本発明の全体構成概略図
【図２】図２は図１の右面構成概略図
【図３】図３は図１の中のＡの拡大構成概略図
【発明を実施するための形態】
【００１０】
次に図１〜３を合わせて本発明を詳しく説明し、意思の疎通にもっと便利なため、後文に出る方位を下記の通りに規定する：下記に述べた上下左右前後の方向は図１自体の投影関係の上下左右前後の方向と一致している。
【００１１】
図１〜３を参照し、本発明の実施例のマウスパッドは、ベース１０を含み、前記ベース１０の左右端面にはノートパソコンをきつく挟めるクランプ部品１２が左右対称的に設置され、前記ベース１０の中にはマウスを置くことができる敷板部品８０が設置され、前記敷板部品８０は前記ベース１０の内部に設置されている回収溝１１を含み、前記回収溝１１の中にはスライドブロック１３がスライドできるように装着され、前記スライドブロック１３には第一ヒンジ連結板１４が固定的に装着され、前記第一ヒンジ連結板１４の右端には順に六つの第二ヒンジ連結板１７がヒンジにより連結され、前記第二ヒンジ連結板１７の左側末端には前記第二ヒンジ連結板１７を時計回りに回転させないリミット板５０が固定的に設置され、左から右への順に数えって六番目の前記第二ヒンジ連結板１７の右側端面には引き動かしヘッド２０が固定的に装着され、前記引き動かしヘッド２０の頂部端面にはペンを置くことができるペン溝２１が設置され、前記敷板部品８０の上側には腕の快適度を調節できる調節部品８１が設置され、前記調節部品８１は前記第二ヒンジ連結板１７に固定的に取り付けて挟まれている調節筐体２２と挟み板１９とを含み、前記調節筐体２２と前記挟み板１９との間には捻りばね４０が固定的に装着され、前記調節筐体２２の中には歯車チャンバ３５が設置され、前記調節筐体２２の上側には上方に開口したネジスリーブスライド溝３３が設置され、前記ねじスリーブスライド溝３３と前記歯車チャンバ３５との間にはねじロッド３４が回転できるように装着され、前記ねじスリーブスライド溝３３の中にはねじスリーブ３２がスライドできるように装着され、前記ねじスリーブ３２と前記ねじロッド３４とがねじ山により装着され、前記ねじスリーブ３２の頂部端面には支持台２７が固定的に装着され、前記ねじロッド３４が回転して前記ねじスリーブスライド溝３３と前記支持台２７とを推し動かして上下にスライドさせることができ、それにより高度を調節し、前記支持台２７の中には上方に開口したばね溝２８が設置され、前記支持台２７の底壁には連結台３１が固定的に装着され、前記調節部品８１はまた腕を直接に支えることができる置き台２９を含み、前記置き台２９の底部端面には球形連結ブロック３０が固定的に装着され、前記球形連結ブロック３０と前記連結台３１とが回転できるように連結され、前記置き台２９の底部端面と前記支持台２７の底壁との間には前記置き台２９を自動的に復帰させることができる復帰ばね５１が固定的に装着されている。
【００１２】
前記敷板部品８０はまた前記スライドブロック１３の底部端面に設置されている固定口４１を含み、前記回収溝１１の底壁には前記回収溝１１と連通している引っ掛かりブロック溝４４が設置され、前記引っ掛かりブロック溝４４の中に引っ掛かりブロック４２がスライドできるように装着され、前記引っ掛かりブロック４２と前記固定口４１とは互いに引っ掛かることができ、前記引っ掛かりブロック４２には固定ピン４３が固定的に装着され、前記引っ掛かりブロック４２の底部端面と前記引っ掛かりブロック溝４４の底壁との間には推し動かしばね４５が固定的に装着され、前記引っ掛かりブロック溝４４と前記ベース１０の右側端面との間には押しボタン１６がスライドできるように装着され、前記押しボタン１６の左側端面にはプッシュブロック４６が固定的に装着され、前記プッシュブロック４６と前記固定ピン４３とがスライドできるように装着されており、
それによりパソコンを使う時、パソコンをベース１０に置き、クランプ部品１２によりパソコンがきつく挟まれ、引き動かしヘッド２０を引いて動かし、引き動かしヘッド２０がスライドブロック１３を連動させて右へスライドさせ、固定口４１と引っ掛かりブロック４２とは互いに引っかかった後、マウスを第二ヒンジ連結板１７に置いて使用し、押しボタン１６を押し、押しボタン１６がプッシュブロック４６を押し動かし、それにより固定ピン４３と引っ掛かりブロック４２が下へスライドし、引っ掛かりブロック４２と固定口４１とは互いに引っ掛からなくなり、スライドブロック１３を回収溝１１の中に引き込むことができ、また外出の時にスライドブロック１３を回収溝１１の中から取り出し、第二ヒンジ連結板１７を巻いた後にマウスパッドを持ち歩け、ペン溝２１にはペンを置くことができる。
【００１３】
前記調節部品８１はまた前記ねじロッド３４に固定的に装着されている第一歯車３６を含み、前記歯車チャンバ３５と前記調節筐体２２の左側端面との間には歯車軸３８が回転できるように装着され、前記歯車軸３８の右側端面には第二歯車３７が固定的に装着され、前記第一歯車３６と前記第二歯車３７とが噛み合っており、前記歯車軸３８の左側端面にはつまみ３９が固定的に装着され、前記調節筐体２２の頂部端面には上方に開口した補助溝２３が左右対称的に設置され、前記補助溝２３の前後内壁にはスライド溝２４が設置され、前記スライド溝２４の中にはスライド台２５がスライドできるように装着され、前記スライド台２５と前記補助溝２３の底壁との間がスライドできるように装着され、且つ前記スライド台２５と前記補助溝２３の底壁との間には大きな摩擦があり、前記支持台２７の底部端面には補助ロッド２６が左右対称的にヒンジにより連結され、前記補助ロッド２６と前記スライド台２５とがヒンジにより連結されており、
それにより調節する時、つまみ３９を回し、つまみ３９が回転して第二歯車３７を回転連動させ、第二歯車３７が回転して第一歯車３６を回転連動させ、第一歯車３６が回転してねじロッド３４を回転連動させ、ねじロッド３４が回転してねじスリーブ３２と支持台２７を押し動かして上下にスライドさせて高度の調節を行い、補助ロッド２６は支持を補助でき、腕を置き台２９に置くことができ、復帰ばね５１が傾いた置き台２９を復帰させる。
【００１４】
使用する時：パソコンを使う時、パソコンをベース１０に置き、クランプ部品１２によりパソコンがきつく挟まれ、引き動かしヘッド２０を引いて動かさせ、引き動かしヘッド２０がスライドブロック１３を連動させて右へスライドさせ、固定口４１と引っ掛かりブロック４２とは互いに引っかかった後、マウスを第二ヒンジ連結板１７に置いて使用し、挟み板１９を押した後挟み板１９と調節筐体２２とを第二ヒンジ連結板１７に固定し、腕の快適度を調節する時、つまみ３９を回し、つまみ３９が回転して第二歯車３７を回転連動させ、第二歯車２７が回転して第一歯車３６を回転連動させ、第一歯車３６が回転してねじロッド３４を回転連動させ、ねじロッド３４が回転してねじスリーブ３２と支持台２７を押し動かして上下にスライドさせて高度の調節を行い、補助ロッド２６は支持を補助でき、腕を置き台２９に置くことができ、復帰ばね５１が傾いた置き台２９を復帰させ、押しボタン１６を押した時、押しボタン１６がプッシュブロック４６を押し動かし、それにより固定ピン４３と引っ掛かりブロック４２が下へスライドし、引っ掛かりブロック４２と固定口４１とは互いに引っ掛からなくなり、スライドブロック１３を回収溝１１の中に引き込むことができ、また外出の時にスライドブロック１３を回収溝１１の中から取り出し、第二ヒンジ連結板１７を巻いた後にマウスパッドを持ち歩け、ペン溝２１にはペンを置くことができる。
【００１５】
本発明の有益な効果は：本発明の敷板はより小さい敷板ユニットをヒンジにより連結したものであり、取る空間を減少でき、空間が狭いところにパソコンを使うのに便利を与え、長い時間でパソコンを使用する人にとって、敷板にある調節部品を調節することにより腕の痛みを軽減でき、普及する価値がある。
【００１６】
当業者は明確できるのは、本発明の総体精神及び構想を離脱しない限り、上記の実施例に対して各種の変型を行える。それらの変型がいずれも本発明の保護範囲に含む。本発明の保護方案が本発明に添付された特許請求の範囲を基準とするべきである。